(57)【要約】  本発明は、複数の入口流路（２ａ）を有する弁座カバー（２）を備えるポペット弁（１）に関する。各入口流路（２ａ）は、弁座（２ｂ）に開口し、かつ、軸線方向（Ａ）に移動可能である複数の閉鎖要素（４）を含む。軸線方向（Ａ）に移動可能である閉鎖要素（４）は、弁座（２ｂ）を閉鎖するために各弁座（２ｂ）に関連付けられる。全ての閉鎖要素（４）は、共通の閉鎖要素保持装置（３）上に配置され、閉鎖要素保持装置（３）は、閉鎖要素（４）が少なくとも２つの位置、すなわち、閉鎖要素（４）が弁座（２ｂ）に対して持ち上げられる開放位置と、閉鎖要素（４）が弁座（２ｂ）に対して着座する閉鎖位置とをとることができるように軸線方向（Ａ）に移動可能である。
2019535983.tif 000002
【特許請求の範囲】
【請求項１】
複数の入口流路（２ａ）を有する弁座カバー（２）であって、各入口流路（２ａ）は、弁座（２ｂ）に開口する、弁座カバー（２）を含み、かつ、軸線方向（Ａ）において移動可能である複数の閉鎖要素（４）を含むポペット弁（１）であって、閉鎖要素（４）は、各弁座（２ｂ）に関連付けられ、各弁座（２ｂ）は、前記関連付けられた閉鎖要素（４）に前記軸線方向（Ａ）において対向して配置され、それにより、各弁座（２ｂ）は、前記関連付けられた閉鎖要素（４）によって閉鎖可能である、ポペット弁（１）において、
全ての前記閉鎖要素（４）は、共通の閉鎖要素保持装置（３）上に配置されることと、前記閉鎖要素保持装置（３）は、前記閉鎖要素（４）が少なくとも２つの位置、前記閉鎖要素（４）が前記弁座（２ｂ）に対して持ち上げられる開放位置と、前記閉鎖要素（４）が前記弁座（２ｂ）に対して着座する閉鎖位置と、をとることができるように前記軸線方向（Ａ）において移動可能であることとを特徴とする、ポペット弁（１）。
【請求項２】
前記閉鎖要素保持装置（３）が、少なくとも２つの別個の閉鎖要素保持装置部（３ｈ、３ｉ）を含むことを特徴とする、請求項１に記載のポペット弁（１）。
【請求項３】
前記閉鎖要素保持装置（３）が、平坦かつ流体透過性の構成であることを特徴とする、請求項１または２に記載のポペット弁（１）。
【請求項４】
前記閉鎖要素保持装置（３）が、２次元格子構造として具体化されることと、前記２次元格子構造が、支柱（３ｂ）および節（３ｄ）を含むことと、前記閉鎖要素（４）が、前記節（３ｄ）上に配置されることとを特徴とする、請求項３に記載のポペット弁（１）。
【請求項５】
前記閉鎖要素（４）が、前記閉鎖要素保持装置（３）上に互いに対称に配置されることを特徴とする、請求項１〜４のいずれか一項に記載のポペット弁（１）。
【請求項６】
前記閉鎖要素保持装置（３）が、少なくとも１つのばね（５）によって前記弁座カバー（２）上に支持され、前記ばね（５）が、少なくとも前記軸線方向（Ａ）において撓むことを特徴とする、請求項１〜５のいずれか一項に記載のポペット弁（１）。
【請求項７】
前記閉鎖要素保持装置（３）が、前記軸線方向（Ａ）において移動可能な少なくとも１つの案内部（６）によって前記弁座カバー（２）に接続されることを特徴とする、請求項１〜６のいずれか一項に記載のポペット弁（１）。
【請求項８】
前記弁座カバー（２）が、前記軸線方向（Ａ）に延びる少なくとも１つの孔（２ｄ）を有することと、案内部（６）が、各孔（２ｄ）内に配置されることとを特徴とする、請求項７に記載のポペット弁（１）。
【請求項９】
前記閉鎖要素（４）が、少なくとも部分的にプラスチックからなることを特徴とする、請求項１〜８のいずれか一項に記載のポペット弁（１）。
【請求項１０】
前記閉鎖要素（４）が、クリップ継手によって前記閉鎖要素保持装置（３）に接続されることを特徴とする、請求項９に記載のポペット弁（１）。
【請求項１１】
前記閉鎖要素（４）が、少なくとも２つの異なる材料、金属およびプラスチックからなることを特徴とする、請求項９または１０に記載のポペット弁（１）。
【請求項１２】
前記閉鎖要素（４）が、閉鎖部（４ｇ）であって、前記入口流路（２ａ）が閉鎖されると、前記閉鎖部が前記弁座（２ｂ）に着座するように配置される閉鎖部（４ｇ）を含むことと、前記閉鎖部（４ｇ）が、プラスチックからなることとを特徴とする、請求項１１に記載のポペット弁（１）。
【請求項１３】
前記閉鎖要素（４）が、金属製支持部（４ｈ）を含むことと、前記金属製支持部（４ｈ）が、前記軸線方向（Ａ）に直交して延びる支持面（４ｋ）を有することと、前記閉鎖部（４ｇ）が、前記支持面（４ｋ）に着座することと、前記閉鎖部（４ｇ）が、前記支持面（４ｋ）と前記弁座（２ｂ）との間に配置されることとを特徴とする、請求項１２に記載のポペット弁（１）。
【請求項１４】
捕捉部（７）を含むことと、前記捕捉部（７）が、前記閉鎖要素保持装置（３）から前記軸線方向（Ａ）において、前記閉鎖要素保持装置（３）が前記軸線方向（Ａ）において移動可能であるような距離に配置されることとを特徴とする、請求項１〜１３のいずれか一項に記載のポペット弁（１）。
【請求項１５】
前記閉鎖要素（４）が、前記閉鎖要素保持装置（３）を越えて前記捕捉部（７）に向かって前記軸線方向（Ａ）に突出する離隔片（４ｉ）を含むことと、前記閉鎖要素（４）および前記捕捉部（７）が、前記軸線方向（Ａ）における前記閉鎖要素（４）の最大限の移動が前記捕捉部（７）によって制限されるように、互いに一致するように配置されることとを特徴とする、請求項１４に記載のポペット弁（１）。
【発明の詳細な説明】
【技術分野】
【０００１】
本発明は、請求項１の前文に係るポペット弁に関する。
【背景技術】
【０００２】
（特許文献１）は、ピストン圧縮機のためのポペット弁を開示している。このポペット弁は、比較的高い耐久性を呈する。更に、このポペット弁は、圧力損失が比較的高く、比較的大きい設置高さを更に必要とし、加えて依然として比較的緩慢である。
【先行技術文献】
【特許文献】
【０００３】
【特許文献１】米国特許出願公開第２０１０／００９０１４９号明細書
【発明の概要】
【発明が解決しようとする課題】
【０００４】
本発明の目的は、より有利な動作特性を有するポペット弁を提供することにある。
【課題を解決するための手段】
【０００５】
この目的は、請求項１の特徴を有するポペット弁によって達成される。従属請求項２〜１５は、本発明の更に有利な実施形態に関する。
特に、この目的は、複数の入口流路を有する弁座カバーであって、各入口流路は、弁座に開口する、弁座カバーを含み、かつ、軸線方向において移動可能である複数の閉鎖要素を含むポペット弁であって、閉鎖要素は、各弁座に関連付けられ、各弁座は、関連付けられた閉鎖要素に軸線方向において対向して配置され、それにより、各弁座は、関連付けられた閉鎖要素によって閉鎖可能であり、全ての閉鎖要素は、共通の閉鎖要素保持装置上に配置され、閉鎖要素保持装置は、閉鎖要素が少なくとも２つの位置である、閉鎖要素が弁座に対して持ち上げられる開放位置と、閉鎖要素が弁座に対して着座する閉鎖位置と、をとることができるように軸線方向において移動可能である、ポペット弁によって達成される。
【０００６】
本発明によるポペット弁は、複数の入口流路を有する弁座カバーであって、各入口流路は、弁座に開口する、弁座カバーを含み、かつ、閉鎖要素保持装置であって、その上に複数の閉鎖要素が配置される、閉鎖要素保持装置を含み、別個の閉鎖要素は、各弁座に関連付けられる。閉鎖要素保持装置は、好ましくは、一体構成を有し、その結果、閉鎖要素保持装置に接続された閉鎖要素は、弁座カバーに対して軸線方向において一緒に移動可能であるように配置され、閉鎖要素は、１つの閉鎖要素によって各弁座を開閉できるように弁座に対して配置される。可能な別の実施形態において、閉鎖要素保持装置は、少なくとも２つの別個の閉鎖要素保持装置部からなり、全ての閉鎖要素は、好ましくは固定的に閉鎖要素保持装置に接続される。この実施形態において、閉鎖要素保持装置部は、それぞれの閉鎖要素保持装置部の移動に応じて、互いに独立して軸線方向において移動可能である。
【０００７】
好ましい実施形態において、閉鎖要素保持装置は、入口流路を通って流れる流体の通過のための隙間を含み、かつ、閉鎖要素を締結するための締結箇所を含む、流体透過性であるかまたは貫流を可能にする平坦な支持体として具体化される。閉鎖要素保持装置は、例えば、有孔型、網型または編組型の支持構造として具体化される。閉鎖要素保持装置または支持体は、閉鎖要素を締結するための複数の締結箇所を含み、締結箇所は、例えば、有孔型もしくは網型または編組型の構造によって互いに接続される。特に好ましい形態として、閉鎖要素保持装置は、２次元格子構造として具体化され、かつ、好ましくは複数の支柱および節を有し、支柱は、節を互いに接続し、１つの閉鎖要素は、好ましくは、各節上に締結され、閉鎖要素保持装置は、支柱と節との間に複数の隙間を有する。２次元格子構造を含むポペット弁は、閉鎖要素保持装置および閉鎖要素の全体の高さが比較的小さく、その結果、本発明によるポペット弁のデッドスペースが小さくなるという利点を有する。隙間を有する格子構造は、ポペット弁を通って流れる流体が弁座から流出した後にごく僅かにのみ偏向され、その結果、本発明によるポペット弁の流動抵抗が低くなるという利点を有する。閉鎖要素は、有利には、閉鎖要素保持装置に柔軟に接続されるかまたは取り付けられ、閉鎖要素が、特に閉鎖要素の製造公差または摩耗を補償するために閉鎖要素保持装置に対して直線運動および／または回転運動で僅かに移動することを可能にする。
【０００８】
本発明によるポペット弁の有利な実施形態において、閉鎖要素は、閉鎖要素保持装置上に互いに対称に、例えば中心線Ａに対して点対称で配置される。この対称配置は、閉鎖要素に対して短手方向に作用する力が互いに打ち消し合い、その結果として、弁座に対する閉鎖要素保持装置の位置決めにかかる、すなわち案内部にかかる応力が小さいという利点を有し、かつ、例えば、ばねリンクまたは螺旋ばねによって摩擦を伴わずに達成することもできる。有利な実施形態において、閉鎖要素保持装置の弾性および／または閉鎖要素保持装置と閉鎖要素との接続箇所の弾性は、公差を補償するのに十分である。
【０００９】
閉鎖要素保持装置は、有利には、例えば対応して設計されたばねリンクを用いてまたは螺旋ばねにより、弁座カバーに対してばね弾性状に配置される。これらのばねは、弁座内に取り付けることもでき、例えば螺旋ばねの場合には対応する孔に、および例えば板ばねの場合には弁座の外側の環状空間内に取り付けることができる。
【００１０】
有利な実施形態において、閉鎖要素は、プラスチックから製造される。これは、特に、閉鎖要素保持装置と閉鎖要素とを含む可動部の全体の重量が比較的小さく、したがって可動部が低慣性を有し、その結果、本発明によるポペット弁の動作中により低い力が発生し、摩耗が低減されるという利点を有する。これは、比較的高速、例えば１秒間に３０回の閉鎖サイクルで動作されるポペット弁に特に有利である。閉鎖要素は、金属または金属とプラスチックとの組み合わせから製造することもできる。金属とプラスチックとの組み合わせからなる閉鎖要素は、弁座に接触する部分をプラスチックから製造でき、そのため、この部分が弁座にあまり摩滅を生じさせることがなく、またプラスチックを有利な位置に保持するために金属が支持機能を果たすという利点を有する。
【００１１】
本発明によるポペット弁は、摩耗した閉鎖要素のみを交換することにより、低コストで保守点検することができる一方、残りの閉鎖要素は、使用し続けることができる。本発明によるポペット弁は、閉鎖要素保持装置および閉鎖要素保持装置上に締結された全ての閉鎖要素を一緒に新品同様である構成に置き換えることにより、非常に迅速に保守点検することもできる。閉鎖要素保持装置と、閉鎖要素保持装置上に締結される閉鎖要素とを非常に低コストで製造できるため、閉鎖要素保持装置と、閉鎖要素保持装置上に締結された閉鎖要素とを含む構成全体のまとめての交換が安価でもある。更に、本発明によるポペット弁における構成の取り外しおよび交換は、非常に迅速かつ安価に達成することができる。これは、送給される流体が汚染物質を含み、結果として閉鎖要素の摩耗が増大する場合に特に有利でもある。
【００１２】
既知のポペット弁は、少数の閉鎖要素を有する。本発明によるポペット弁は、閉鎖要素の最大外径を相応に低減し、それに対応する方法で閉鎖要素保持装置上に節を配置することにより、複数の閉鎖要素、例えば１５個、２０個、３０個または４０個の閉鎖要素を閉鎖要素保持装置上に締結できるように閉鎖要素保持装置を簡単に具体化できるという利点を有する。従来のポペット弁と比較して、この実施形態の弁座カバーは、より多くの入口流路を有し、その結果、通路総面積がより多くの流路間で分割され、弁座カバーがより高い強度を有するという利点をもたらし、かつ／または直径がより小さいため、流路を開閉するために閉鎖要素のより小さいストロークのみが必要とされるという利点をもたらす。このより小さいストロークの結果、特に１秒間により高いサイクル数で閉鎖要素を動作させることができるという利点がもたらされる。閉鎖要素は、好ましくは、各閉鎖要素を閉鎖要素保持装置に接続する接続部よりも著しく大きい直径を有する。この実施形態は、接続部が各弁座または関連付けられた閉鎖要素の流れ断面に無視できるほど僅かにのみ影響を及ぼすか、または好ましくは全く影響を及ぼさないという利点を有する。したがって、本発明によるポペット弁は、より低い流動抵抗を有する。
【００１３】
従来のポペット弁と比較して、有利な実施形態における本発明によるポペット弁は、所与の全体の設置高さに関して、閉鎖要素保持装置および閉鎖要素保持装置上に締結された閉鎖要素がより小さい設置高さのみを必要とし、相応に弁座カバーをより厚くすることができ、結果としてより高い耐圧性を実現するため、前記弁をより高圧で使用できるという利点を有する。
【００１４】
本発明を実施例によって以下で詳細に説明する。
【図面の簡単な説明】
【００１５】
【図１】ポペット弁の第１の実施例を部分断面図で示す。
【図２】図１に示すポペット弁を示す。
【図３】図１に示すポペット弁の分解図を示す。
【図４】閉鎖要素を断面図で示す。
【図５】図１に示すポペット弁の詳細図を示す。
【図６】閉鎖要素の配置を示す。
【図７】ポペット弁の第２の実施例の分解図を示す。
【図８】図７に示すポペット弁の縦断面図を示す。
【図９】閉鎖要素の別の実施例を示す。
【図１０】図９に示す組み付けられた閉鎖要素の縦断面図を示す。
【図１１】図７に示すポペット弁の縦断面図を示す。
【図１２】閉鎖要素保持装置の第２の更なる実施例を示す。
【図１３】閉鎖要素保持装置の第２の更なる実施例を示す。
【発明を実施するための形態】
【００１６】
図面において、同一の部分は、基本的に同一の参照符号が付されている。
図１は、ポペット弁１の第１の実施例を部分断面図で示す。弁座カバー２は、複数の入口流路２ａであって、軸線方向Ａに延び、かつ弁座２ｂに、次いで出口流路２ｃに開口する複数の入口流路２ａを含む。ポペット弁１は、閉鎖要素保持装置３を含み、この閉鎖要素保持装置３は、支柱３ｂと節３ｄとを含む格子構造として具体化される。ポペット弁１は、複数の閉鎖要素４であって、１つの閉鎖要素４が各節３ｄ上に締結される、複数の閉鎖要素４を更に含む。閉鎖要素保持装置３と、閉鎖要素保持装置３上に締結された閉鎖要素４とを軸線方向Ａにおいて一緒に移動させることができ、ポペット弁１は、閉鎖要素保持装置３のストローク行程を制限して復元力をもたらすばね５を含む。ばね５および弁座カバー２上へのばね５の締結は、異なる方法で具体化することができ、図示の実施例では、弁座カバー２の周方向に延び、一方では弁座カバー２に接続され、他方では閉鎖要素保持装置３に対して着座するばね５として具体化される。好ましい実施形態では、弁座カバー２に対してばね５を有利な方法で配置するために、図１に示す空間よりも大きい空間が弁座カバー２内においてばね５のために設けられる。更に、ばね５と閉鎖要素保持装置３との接続は、多くの異なる方法で具体化することができる。
【００１７】
図２は、図１によるポペット弁１を断面図なしに示す。
図３は、図１によるポペット弁１を分解図で示す。ポペット弁１は、複数の出口流路２ｃを有する弁座カバー２を含み、弁座２ｂおよび弁座２ｂに接続された入口流路２ａは、図示されていないかまたは視認できない。図示の実施例は、３７個の出口流路２ｃを含み、この実施例では、１つの閉鎖要素４は、各出口流路２ｃに関連付けられ、そのため、図示のポペット弁は、３７個の閉鎖要素４を含む。ポペット弁１は、格子状閉鎖要素保持装置３であって、節３ｄ上に締結された閉鎖要素４がそれぞれ対応する弁座２ｄに対向して位置するように節３ｄが配置される、格子状閉鎖要素保持装置３を更に含む。ポペット弁１は、波状ばね５を更に含む。
【００１８】
図４は、図１に示すポペット弁の閉鎖要素４を断面図で示す。図示の閉鎖要素４は、プラスチック、例えばＰＴＦＥ（ポリテトラフルオロエチレン）、ＰＯＭ（ポリオキシメチレン）、ＰＥＥＫ（ポリエーテルエーテルケトン）から製造される。閉鎖要素４は、弁座に着座するように意図された閉鎖頭部４ａまたは接触面を含む。閉鎖要素４は、閉鎖要素保持装置３に対して着座するための支持面４ｂを更に含む。閉鎖要素４は、図示の実施例では、３つのばねアーム４ｄを含むクリップとして具体化された締結手段４ｃを更に含む。閉鎖要素４は、閉鎖要素４の全体の重量を低減することを可能にする凹部４ｅを更に含むことができる。図示の閉鎖要素４は、金属、例えば銅、鋼または軽金属合金から製造することもできる。
【００１９】
図５は、図１に示す断面図を詳細に示す。図５は、弁２ｂ上の減衰要素８ａを示すことにより、更に別の実施例を明示的に示す。特に閉鎖要素４が金属から製造される場合、減衰要素８ａが有利であると分かり、減衰要素８ａは、有利には交換可能であり、かつ有利には交換可能な弁座として具体化され、減衰要素８ａは、好ましくは、プラスチックからなる。有利な実施形態において、各弁座２ｂは、別個の減衰要素８ａを含むことができる。別の有利な実施形態において、全ての減衰要素８ａは、共通の座板８によって形成することができ、座板８は、好ましくは、弁座カバー２に載置され得、かつ減衰要素８ａは、各弁座２ｂ上に形成される。この座板８は、好ましくは交換可能であり、かつ好ましくはプラスチックからなる。共通の座板８または個々の減衰要素８ａはまた、硬化させた座部として具体化することができ、かつ例えば金属から製造することができる。そのような硬化させた座部は、プラスチックを含むかまたはプラスチックからなる閉鎖要素との組み合わせにおいて特に有利である。
【００２０】
図６は、図１に示すポペット弁１の可動部、すなわち閉鎖要素保持装置３と、閉鎖要素保持装置３上に締結された閉鎖要素４とを示す。全ての閉鎖要素４は、中心の閉鎖要素４ｌに対して対称に配置される。この対称配置は、閉鎖要素４に対して短手方向に作用する全ての力、特に移動方向Ａに直交して作用する全ての力の合計が、実質的に、好ましくは完全に互いに均衡するかまたは互いに補償し合うという利点を有する。これは、移動方向Ａに直交する方向においてばね５に作用する力が小さく、その結果、これらの力が、ばね５にごく僅かな摩耗効果のみを及ぼすかまたは摩耗効果を全く及ぼさないという利点を有する。
【００２１】
本発明によるポペット弁１の保守点検が非常に容易であることは、図６から更に明らかである。損傷した個々の閉鎖要素４は、閉鎖要素保持装置３から簡単に分離させ、クリップ継手４ｄによって新たな閉鎖要素４を対応する節３ｄに締結することにより、新たな閉鎖要素４に置き換えることができる。更に、閉鎖要素保持装置３上に締結された全ての閉鎖要素４と共に閉鎖要素保持装置３全体をまとめて交換するのは簡単なことである。特に閉鎖要素保持装置３へのアクセスが容易でもあるため、かかる保守点検を非常に低コストで行うことができる。
【００２２】
図７は、ポペット弁１の第２の実施例を分解図で示し、この図には、閉鎖要素４が示されていない。閉鎖要素保持装置３は、第１の実施例のものと同一の構成を有し、これは、特に図３から明らかである。閉鎖要素４は、図７に示す閉鎖要素保持装置３の中心に閉鎖要素４が締結されないことを除いて、図３に示すものと同じであり得る。弁座カバー２は、弁座２ｂおよび対応する出口流路２ｃにそれぞれ開口する複数の入口流路２ａ（視認できない）を含む。弁座カバー２は、円周に沿って離間して配置された６つの有底孔２ｄを含み、かつ中心に配置された有底孔２ｄを更に含む。これらの有底孔２ｄのそれぞれに案内部６が配置される。各案内部６は、閉鎖要素保持装置３に接続され、弁座カバー２に対する軸線方向Ａにおける閉鎖要素保持装置３の移動を確実にする。案内部６は、有底孔２ｄ内に締結される締結部６ａを含み、かつ長手方向ステム６ｃに固定的に接続される端部６ｂを含む。締結部６ａと端部６ｂとの間にばね５が配置される。端部６ｂは、軸線方向Ａにおいて移動可能であるように有底孔２ｄ内に配置され、かつ長手方向ステム６ｃの上端部分は、締結部３ｆによって閉鎖要素保持装置３に接続され、これにより、一方では、案内部６が弁座カバー２内に固定的に配置され、かつ長手方向ステム６ｃおよび長手方向ステム６ｃに接続された閉鎖要素保持装置３が、軸線方向Ａにおいて移動可能であるように支持されることを確実にする。この実施形態は、閉鎖要素保持装置３が軸線方向Ａにおいて正確に案内されるという利点を有する。可能な一実施形態において、閉鎖要素４は、図４に示すように具体化される。閉鎖要素４が図９に示すように具体化されると有利である。案内部６は、軸線方向Ａにおける閉鎖要素保持装置３の案内を確実にする多くの可能な方法で具体化することができる。
【００２３】
図８は、図９に示す閉鎖要素４を使用する、図７に示すポペット弁１の縦断面図を示す。図８による縦断面図は、複数の入口流路２ａであって、各入口流路２ａは、弁座２ｂに開口し、次に出口流路２ｃに開口する、複数の入口流路２ａを示す。閉鎖要素保持装置３を軸線方向Ａにおいて移動可能に案内し、かつ閉鎖要素保持装置３上の弁座カバー２に向かう予荷重力または復元力をばね５によってもたらすように案内部６が内部に配置される、有底孔２ｄが弁座カバー２の中心に図示されている。有利な一実施形態において、ポペット弁１は、捕捉部７を更に含み、この捕捉部７は、有利には、弁座カバー２に接続される、周方向に延びる締結部７ｂを含み、かつ更に有利には、開口部を含む平坦な格子構造７ａを有する。捕捉部７は、軸線方向Ａにおける閉鎖要素保持装置３の移動を制限する役割を果たす。捕捉部７は、更に有利には、自由に移動可能な部分、例えば折り取られた部分を保持して、ポペット弁１から外れることを防止する。
【００２４】
図９は、組み付け前の閉鎖要素４の実施例を示し、図１０は、組み付け後の閉鎖要素４の実施例を示す。閉鎖要素４は、少なくとも１つの閉鎖部４ｇと、支持部４ｈと、リベット４ｆとを含み、好ましくは離隔片４ｉを更に含む。図９に示すように、リベット４ｆは、閉鎖部４ｇと支持部４ｈとに導入され、次に節３ｄの開口部に突き通され、次いで離隔片４ｉに導入される。その後、リベット４ｆがかしめられ、その結果、リベット４ｆは、図１０に示す形状を有する。有利な実施形態において、閉鎖部４ｇおよび離隔片４ｉは、プラスチックからなる一方、支持部４ｈおよびリベット４ｆは、金属からなる。閉鎖部４ｇは、閉鎖面４ａと支持面４ｋとを含む。図１０に示す閉鎖要素４は、閉鎖部４ｇの表面に直交して作用する力を閉鎖部４ｇが支持面４ｋにおいて受けるという利点を有する。図示の閉鎖部４ｇは、円錐形閉鎖面４ａを有し、閉鎖面４ａは、閉鎖面４ａに直交して作用する力を実質的に受ける。これは、相当の圧縮力が生じて、プラスチックからなる閉鎖部４ａに作用するが、無視できるほど僅かな引張力が閉鎖部４ａに作用するかまたは引張力が閉鎖部４ａに全く作用せず、その結果、閉鎖部４ｇの破損の原因となり得る引張応力が閉鎖部４ｇに無視できるほど僅かに生じるかまたは全く生じないという利点を有する。したがって、この実施形態は、閉鎖部４ｇがほとんど摩耗しないという利点を有する。
【００２５】
図１１は、図７に示すポペット弁１の別の縦断面図を示し、この図では、捕捉部７が単に明示的に示されている。閉鎖要素保持装置３および閉鎖要素保持装置３に固定的に接続された閉鎖要素４は、有底孔２ｄ内に部分的に配置された案内部６によって移動軸線方向Ａにおいて移動可能であるように支持される。閉鎖要素４は、図１０に詳細に示すように具体化される。軸線方向Ａにおける閉鎖要素４の移動により、弁座２ｂは、閉鎖要素４の位置に応じて開閉される。捕捉部７は、特に閉鎖要素４の最大の可能なストロークを制限する役割を果たす。
【００２６】
図１２および図１３は、閉鎖要素保持装置３の２つの更なる実施例を示し、図３に示す装置とは対照的に、閉鎖要素保持装置は、２つの部分からなり、かつ第１の閉鎖要素保持装置部３ｈと第２の閉鎖要素保持装置部３ｉとを含み、閉鎖要素保持装置部３ｉ、３ｈの両方の上に閉鎖要素４を締結することができ、閉鎖要素４の２つの群を与え、各群は、単一の閉鎖要素保持装置部３ｉ、３ｈに接続される。図１２に示す閉鎖要素保持装置３は、図１〜図９に示す実施形態でも同様に使用することができる。閉鎖要素保持装置３の２つの部分３ｈ、３ｉは、閉鎖要素４を保持する異なる方法で具体化することができる。更に、閉鎖要素保持装置３は、追加の部分を含むことができ、かつ例えば３つ、４つまたは５つの部分からなることができる。複数の閉鎖要素保持装置部３ｈ、３ｉからなる閉鎖要素保持装置３は、閉鎖要素保持装置部３ｈ、３ｉが長手方向軸線Ａに対して横断方向に個々に移動可能であり、これにより閉鎖要素４と弁座２ｂとの間のいかなる遊びおよび／または摩耗もより良好に補償することを可能にするという利点を有する。
【図１】
2019535983.tif 000003
【図２】
2019535983.tif 000004
【図３】
2019535983.tif 000005
【図４】
2019535983.tif 000006
【図５】
2019535983.tif 000007
【図６】
2019535983.tif 000008
【図７】
2019535983.tif 000009
【図８】
2019535983.tif 000010
【図９】
2019535983.tif 000011
【図１０】
2019535983.tif 000012
【図１１】
2019535983.tif 000013
【図１２】
2019535983.tif 000014
【図１３】
2019535983.tif 000015
【国際調査報告】
2019535983.tif 000016
2019535983.tif 000017
2019535983.tif 000018
2019535983.tif 000019